(57)【要約】【課題】連動定位構造を備えるスライドレールアセンブリを提供する。【解決手段】第一レール10、第二レール24、ローリングボールアセンブリ30、係合ロック部品42を備え、第一レール10は開孔14を備え、開孔14の片側孔壁にはブロック停止面16を設置し、ローリングボールアセンブリ30は第一レール10と第二レール24との間に設置し、ローリングボール保持器32、第一接触制限部36を備え、係合ロック部品42は第二レール24に設置し、係合ロック部品42は第二接触制限部48、係合ロック部50を備え、第二接触制限部48は第一接触制限部36に対応し、第二レール24が第一レール10に対して移動する時、第一接触制限部36は第二接触制限部48で接触されて移動し、ローリングボールアセンブリ30が所定位置まで連動されて移動すると、係合ロック部50は開孔14に進入し、ブロック停止面16と接触し、よって、第二レール24と第一レール10とは相対して係合ロックされる。【選択図】図１
0003176462.tif 000002
【実用新案登録請求の範囲】
【請求項１】
第一レール、第二レール、ローリングボールアセンブリ、ブロック台、係合ロック部品を備える、連動定位構造を備えるスライドレールアセンブリであって、
前記第一レールは、レール体長さに対応する縦方向の通路、及びレール体の一端に隣接する開孔を備え、しかも前記開孔の片側孔壁には、ブロック停止面を設置し、
前記第二レールは、前記第一レールの通路において可動し、及び前記開孔を備える端から突き出し、
前記ローリングボールアセンブリは、前記第一レールと前記第二レールとの間に設置し、前記ローリングボールアセンブリは、ローリングボール保持器を備え、前記ローリングボール保持器は、第一接触制限部を備え、
前記ブロック台は、前記第一レールと前記第二レールとの間に設置し、しかも前記第一レールの開孔に隣接し、前記ローリングボールアセンブリに対応し、
前記係合ロック部品は、固定部、弾性部、第二接触制限部、係合ロック部を備え、
前記固定部は、前記第二レールに固定して設置され、前記弾性部は、前記固定部から縦方向に延伸し、しかも前記固定部に相対してある角度の湾曲を呈し、前記第二接触制限部は、前記固定部から横方向に延伸し、しかも前記ローリングボール保持器の第一接触制限部に相対し、
前記係合ロック部は、前記弾性部から延伸し、しかも前記弾性部の弾力により、前記第一レールに向かい移動し、
前記第二レールが前記第一レールに相対して、引き出され移動する時、前記ローリングボール保持器は、前記第一接触制限部と前記係合ロック部品の第二接触制限部との相互接続により、前記ローリングボール保持器は、前記第二レールに連動されて移動し、
前記第二レールが、前記第一レールに相対し、所定の位置まで移動すると、前記係合ロック部品の係合ロック部は前記第一レールのブロック停止面に対応し、接触して定位することを特徴とする連動定位構造を備えるスライドレールアセンブリ。
【請求項２】
前記第一レールは、ブロック壁を備え、前記開孔に隣接し、
前記第二レールが、前記第一レールに相対して、所定の位置まで移動する時、前記係合ロック部品の第二接触制限部は、前記第一レールのブロック壁に接触することを特徴とする請求項１に記載の連動定位構造を備えるスライドレールアセンブリ。
【請求項３】
前記係合ロック部品の係合ロック部は、前記第一レールに向かい突出し、しかも突出した係合ロック部は、前記固定部に向かう接触停止端と前記接触停止端に背中を向ける第一斜向導引部を備え、前記第二斜向導引部は、前記接触停止端から前記弾性部まで延伸し、
しかも、前記第一レールのブロック停止面位置には、凹口を備え、前記開孔に通じ、前記第二斜向導引部は、前記凹口に対応して進入することを特徴とする請求項１に記載の連動定位構造を備えるスライドレールアセンブリ。
【請求項４】
前記係合ロック部品は、第三斜向導引部を備え、
前記第三斜向導引部は、前記弾性部から延伸し、しかも前記第二レールへと湾曲することを特徴とする請求項１に記載の連動定位構造を備えるスライドレールアセンブリ。
【請求項５】
前記第二レールは、前記第三斜向導引部に相対して貫通孔を設置することを特徴とする請求項４に記載の連動定位構造を備えるスライドレールアセンブリ。
【請求項６】
前記連動定位構造を備えるスライドレールアセンブリはさらに、押圧部品を備え、前記第一レールの開孔に対応して設置し、しかも前記押圧部品を押すことで、前記押圧部品は前記係合ロック部品を動かすことができ、これにより前記係合ロック部は、前記第一レールのブロック停止面を離脱することを特徴とする請求項１に記載の連動定位構造を備えるスライドレールアセンブリ。
【請求項７】
前記押圧部品は、ブロック台に連なることを特徴とする請求項６に記載の連動定位構造を備えるスライドレールアセンブリ。
【請求項８】
前記押圧部品は、一対の翼部を備え、前記開孔の孔壁辺縁に接触することを特徴とする請求項６に記載の連動定位構造を備えるスライドレールアセンブリ。
【請求項９】
第一レール、第二レール、ローリングボールアセンブリ、ブロック台、係合ロック部品を備える、連動定位構造を備えるスライドレールアセンブリであって、
前記第一レールは、レール体長さに対応する縦方向の通路、及びレール体の一端に隣接する開孔を備え、しかも前記開孔に隣接する位置には、ブロック壁を設置し、
前記第二レールは、前記第一レールの通路において可動し、及び前記開孔を備える端から突き出し、
前記ブロック台は、前記第一レールと前記第二レールとの間に設置し、しかも前記第一レールの開孔に隣接し、前記ローリングボールアセンブリに対応し、
前記ローリングボールアセンブリは、前記第一レールと前記第二レールとの間に設置し、前記ローリングボールアセンブリは、ローリングボール保持器を備え、前記ローリングボール保持器は、第一接触制限部を備え、
前記係合ロック部品は、固定部及び第二接触制限部を備え、前記固定部は、前記第二レールに固定して設置され、前記第二接触制限部は、前記固定部から横方向い延伸し、しかも前記ローリングボール保持器の第一接触制限部に相対し、
前記第二レールが前記第一レールに相対して、引き出され移動する時、前記ローリングボール保持器は、前記第一接触制限部と前記係合ロック部品の第二接触制限部との相互接続により、前記ローリングボール保持器は、前記第二レールに連動されて移動し、
しかも、前記第二レールが所定の位置まで移動する時、前記係合ロック部品の第二接触制限部は、前記第一レールのブロック壁に接触し、前記ローリングボール保持器の第一接触制限部は、前記ブロック壁位置まで移動することを特徴とする連動定位構造を備えるスライドレールアセンブリ。
【考案の詳細な説明】
【技術分野】
【０００１】
本考案は連動定位構造を備えるスライドレールアセンブリに関し、特に係合ロック部品により、第二レールと第一レールが相対して伸びる時、そのローリングボールアセンブリは連動され所定の位置まで移動し、しかも第二レールと第一レールとは相対して係合ロックされる連動定位構造を備えるスライドレールアセンブリに関する。
【背景技術】
【０００２】
スライドレールは、家具のひきだし、或いはコンピューターラック上の本体を引き出す際のスライドとサポートに用いられる。一般に、２個のスライドレール部分の相対してのスライドは、ローリングボールアセンブリ上のローリングボールのスライドによる。
【０００３】
しかし、引き出されたスライドレール部分が一定の長さまで伸びると、スライドレールではない部分の重なった部位は、ローリングボールを挟持できなくなる。そのため、ローリングボールアセンブリには、ローリングボール保持器を設置する。これにより、ローリングボールを保持すると同時に、ローリングボール保持器は、ローリングボール同士が接触摩擦を生じることがないよう、ローリングボール同士に間を隔てさせる。
【０００４】
ローリングボールアセンブリは、２個のスライドレール部分間のスライドを提供する。それは、ローリングボールアセンブリ全体の離脱を防止するため、必ずブロック台を設置する必要がある。よって、従来のスライドレールは端部において、必ずブロック台を設置し、ローリングボールアセンブリをガードし、スライドレールの前端では、内スライドレール部分を引き出した後のサポート部品としている。
【０００５】
２個のスライドレール部分が最短まで縮んだ状態と最長まで伸びた状態との間の伸縮において、従来のスライドレールは、２個のスライドレール部分及びローリングボールアセンブリを自由にスライドさせている。収縮時には、最後まで押しさえすれば、ローリングボールアセンブリは必ず両者間をスライドする。
【０００６】
しかし、最長まで伸ばした際には、ローリングボールアセンブリにおいて、内スライドレール部分の摩擦によるローリング移動が確実に行われるとは限らず、ローリングボールアセンブリの移動行程が、設計通りの位置に到達しない状況がしばしば発生する。これにより、内スライドレール部分に従い、最長状態の設定位置（好ましくは、ちょうどブロック台に接触する位置）まで移動しないこともある。このような状況では、ローリングボールアセンブリが設定位置まで完全に移動せず戻った時には、ローリングボールアセンブリが収納位置まで先に戻ることで、収納位置まで戻っていない内スライドレール部分は、無理にローリングボールと接触し摩擦を生じることになる。これにより、スライドレールが戻り合わさる抵抗力が異常となり、スムーズにいかなくなってしまう。また、前記のローリングボールアセンブリが、設定位置まで完全に移動していないなら、内スライドレール部分が外付けしている設備の設置機能にまで影響を及ぼす。
【０００７】
さらに、取り外し式スライドレールの設計においては、内スライドレール部分は、ローリングボールアセンブリから取り外せ、しかもブロック台から離脱させることができる。内スライドレール部分を、再び、ブロック台から挿入し、ローリングボールアセンブリに設置する時には、ローリングボールアセンブリはブロック台に必ず接触させる必要がある。さもなければ、内スライドレール部分は、ブロック台の導引により、正確にローリングボールアセンブリに接続することができない。
【０００８】
この他、従来のスライドレールは、内スライドレール部分を引き出した時に、抜けたり、もとに戻ったりすることを防止するため、内スライドレール部分と前記のブロック台設置位置とに、相互に係合ロック可能な機構を設置する。このタイプの係合ロック機構は、前記のローリングボールアセンブリのローリング移動とは多くは関連がない。しかし、設計を一つに統合し、使用部品を減らし、製造コストを引き下げ、さらに上記した各機構に改善を加えることができれば、業界にとって望ましいことである
本考案は、従来のスライドレールアセンブリの上記した欠点に鑑みてなされたものである。
【先行技術文献】
【特許文献】
【０００９】
【特許文献１】なし
【考案の概要】
【考案が解決しようとする課題】
【００１０】
本考案が解決しようとする課題は、スライドレールアセンブリを引き出す時、スライドレールを停止して定位できるだけで、ローリングボールアセンブリは設定の位置まで移動していないという状況がしばしば起きる従来の構造の欠点を改良する連動定位構造を備えるスライドレールアセンブリを提供することである。
【課題を解決するための手段】
【００１１】
上記課題を解決するため、本考案は下記の連動定位構造を備えるスライドレールアセンブリを提供する。
連動定位構造を備えるスライドレールアセンブリは、第一レール、第二レール、ローリングボールアセンブリ、ブロック台、係合ロック部品を備え、前記第一レールは、レール体長さに対応する縦方向の通路、及びレール体の一端に隣接する開孔を備え、しかも前記開孔の片側孔壁には、ブロック停止面を設置し、前記第二レールは、前記第一レールの通路において可動し、及び前記開孔を備える端から突き出し、前記ローリングボールアセンブリは、前記第一レールと前記第二レールとの間に設置し、前記ローリングボールアセンブリは、ローリングボール保持器を備え、前記ローリングボール保持器は、第一接触制限部を備え、前記ブロック台は、前記第一レールと前記第二レールとの間に設置し、しかも前記第一レールの開孔に隣接し、前記ローリングボールアセンブリに対応し、前記係合ロック部品は、固定部、弾性部、第二接触制限部、係合ロック部を備え、前記固定部は、前記第二レールに固定して設置され、前記弾性部は、前記固定部から縦方向に延伸し、しかも前記固定部に相対してある角度の湾曲を呈し、前記第二接触制限部は、前記固定部から横方向に延伸し、しかも前記ローリングボール保持器の第一接触制限部に相対し、前記係合ロック部は、前記弾性部から延伸し、しかも前記弾性部の弾力により、前記第一レールに向かい移動し、前記第二レールが前記第一レールに相対して、引き出され移動する時、前記ローリングボール保持器は、前記第一接触制限部と前記係合ロック部品の第二接触制限部との相互接続により、前記ローリングボール保持器は、前記第二レールに連動されて移動し、前記第二レールが、前記第一レールに相対し、所定の位置まで移動すると、前記係合ロック部品の係合ロック部は前記第一レールのブロック停止面に対応し、接触して定位することを特徴とする。
前記第一レールは、ブロック壁を備え、前記開孔に隣接し、前記第二レールが、前記第一レールに相対して、所定の位置まで移動する時、前記係合ロック部品の第二接触制限部は、前記第一レールのブロック壁に接触する。
前記係合ロック部品の係合ロック部は、前記第一レールに向かい突出し、しかも突出した係合ロック部は、前記固定部に向かう接触停止端と前記接触停止端に背中を向ける第一斜向導引部を備え、前記第二斜向導引部は、前記接触停止端から前記弾性部まで延伸し、しかも、前記第一レールのブロック停止面位置には、凹口を備え、前記開孔に通じ、前記第二斜向導引部は、前記凹口に対応して進入する。
前記係合ロック部品は、第三斜向導引部を備え、前記第三斜向導引部は、前記弾性部から延伸し、しかも前記第二レールへと湾曲する。
前記第二レールは、前記第三斜向導引部に相対して貫通孔を設置する。
前記連動定位構造を備えるスライドレールアセンブリはさらに、押圧部品を備え、前記第一レールの開孔に対応して設置し、しかも前記押圧部品を押すことで、前記押圧部品は前記係合ロック部品を動かすことができ、これにより前記係合ロック部は、前記第一レールのブロック停止面を離脱する。
前記押圧部品は、ブロック台に連なる。
前記押圧部品は、一対の翼部を備え、前記開孔の孔壁辺縁に接触する。
連動定位構造を備えるスライドレールアセンブリは、第一レール、第二レール、ローリングボールアセンブリ、ブロック台、係合ロック部品を備え、前記第一レールは、レール体長さに対応する縦方向の通路、及びレール体の一端に隣接する開孔を備え、しかも前記開孔に隣接する位置には、ブロック壁を設置し、前記第二レールは、前記第一レールの通路において可動し、及び前記開孔を備える端から突き出し、前記ブロック台は、前記第一レールと前記第二レールとの間に設置し、しかも前記第一レールの開孔に隣接し、前記ローリングボールアセンブリに対応し、前記ローリングボールアセンブリは、前記第一レールと前記第二レールとの間に設置し、前記ローリングボールアセンブリは、ローリングボール保持器を備え、前記ローリングボール保持器は、第一接触制限部を備え、前記係合ロック部品は、固定部及び第二接触制限部を備え、前記固定部は、前記第二レールに固定して設置され、前記第二接触制限部は、前記固定部から横方向い延伸し、しかも前記ローリングボール保持器の第一接触制限部に相対し、前記第二レールが前記第一レールに相対して、引き出され移動する時、前記ローリングボール保持器は、前記第一接触制限部と前記係合ロック部品の第二接触制限部との相互接続により、前記ローリングボール保持器は、前記第二レールに連動されて移動し、しかも、前記第二レールが所定の位置まで移動する時、前記係合ロック部品の第二接触制限部は、前記第一レールのブロック壁に接触し、前記ローリングボール保持器の第一接触制限部は、前記ブロック壁位置まで移動する。
【考案の効果】
【００１２】
本考案の連動定位構造を備えるスライドレールアセンブリは、スライドレールアセンブリを引き出す時、スライドレールを停止して定位できるだけで、ローリングボールアセンブリは設定の位置まで移動していないという状況がしばしば起きる従来の構造の欠点を改良することができ、係合ロック部品により、第二レールと第一レールが相対して伸びる時、そのローリングボールアセンブリは連動され所定の位置まで移動し、しかも第二レールと第一レールとは相対して係合ロックされる。
【図面の簡単な説明】
【００１３】
【図１】本考案の実施例の立体分解図である。
【図２】本考案の実施例の第二レールと第一レールの配置模式図である。
【図３】本考案の実施例の第二レールが第一レールに相対して引き出され、係合ロック部品の第三斜向導引部が相対してローリングボール保持器の第二端にスライドして接触する様子を示す局部模式図である。
【図４】本考案の実施例の第二レールが第一レールに相対してさらに引き出され、係合ロック部品の第一斜向導引部が相対してローリングボール保持器の第二端にスライドして接触する様子を示す局部模式図である。
【図５】本考案の実施例の第二レールが第一レールに相対して収納され、係合ロック部品の第二斜向導引部が相対してローリングボール保持器の第一端にスライドして接触する様子を示す局部模式図である。
【図６】本考案の実施例の押圧部品が一対の翼部を備え、第一レールの開孔の孔壁辺縁に接触して定位する様子を示す模式図である。
【図７】本考案の実施例の第二レールが第一レールに相対して引き出された時、ローリングボール保持器が係合ロック部品により押さえられ、第二レールに従い移動する関係を示す模式図である。
【図８】本考案の実施例の第二レールが第一レールに相対して所定の位置まで引き出された時、係合ロック部品が第一レールに相対する様子を示す俯視関係模式図である。
【図９】本考案の実施例の第二レールが第一レールに相対して所定の位置まで引き出された時、係合ロック部品が第一レールに相対する様子を示す側視関係模式図である。
【図１０】本考案の実施例の第二レールが第一レールに相対して所定の位置まで引き出された後、さらにいくらか戻った時、係合ロック部品の接触停止端と第一レールのブロック停止面とが相互に接触する様子を示す模式図である。
【図１１】本考案の実施例の係合ロック部品の接触停止端と第一レールのブロック停止面が係合を解除する様子を示す動作模式図である。
【図１２】本考案の実施例の第二レールが第一レールに相対して所定の位置まで引き出された時、ローリングボール保持器の複数の欠口の内の１個が、第二レールの複数のマウント孔の内の１個に対応する様子を示す模式図である。
【考案を実施するための形態】
【００１４】
以下に図面を参照しながら本考案の最良の実施形態について詳細に説明する。
【００１５】
図１、２に示すように、本考案連動定位構造を備えるスライドレールアセンブリの実施例は、第一レール10、押圧部品22、第二レール24、ローリングボールアセンブリ30、ブロック台40、係合ロック部品42を備える。
【００１６】
第一レール10は、レール体長さに対応する縦方向の通路12、及びレール体の一端に隣接する開孔14を備える。しかも、開孔14の片側孔壁には、ブロック停止面16を形成し、ブロック停止面16位置には、開孔14に通じる凹口18、及び開孔14に隣接するブロック壁20を備える。
【００１７】
押圧部品22は、第一レール10の開孔14に相対して設置する。
【００１８】
第二レール24は、第一レール10の通路12において可動し、しかも開孔14を備える端から突き出し、第二レール24のレール体は、少なくとも貫通孔26を備える。しかも、複数のマウント孔28を、レール体の長さに沿って設置する。各マウント孔28には、シャーシ（chassis、図示なし）のポスト（posts）などの外付け物件を掛けて設置する。
【００１９】
ローリングボールアセンブリ30は、第一レール10と第二レール24との間に設置する。ローリングボールアセンブリ30は、ローリングボール保持器32を備える。ローリングボール保持器32は、第一端34a、第二端34b、第一接触制限部36、複数のローリングボール38を備え、第二端34bは、第一端34aに相対する。各ローリングボール38により、第二レール24は、第一レール10に相対してスライドし易くなる。好ましくは、ローリングボール保持器32は、等距離の間を隔てる複数の欠口39を備える。
【００２０】
ブロック台40は、第一レール10と第二レール24との間に設置し、しかも第一レール10の開孔14に隣接し、ローリングボールアセンブリ30に対応する。第二レール24が、第一レール10に相対し、所定の位置まで移動すると、ブロック台40は、ローリングボールアセンブリ30のローリングボール保持器32をブロックする。
【００２１】
係合ロック部品42は、固定部44、弾性部46、第二接触制限部48、係合ロック部50を備え、固定部44は、第二レール24に固定して設置される。弾性部46は、固定部44から縦方向に延伸し、しかも固定部44に相対してある角度の湾曲を呈する。第二接触制限部48は、固定部44から横方向に延伸し、しかもローリングボール保持器32の第一接触制限部36に相対する。係合ロック部50は、弾性部46から延伸し、第一レール10に向かい突出する。突出した係合ロック部50は、固定部44に向かう接触停止端52を備え、しかも係合ロック部50は、弾性部46の弾力により、第一レール10に向かい移動する。
【００２２】
本実施例中では、係合ロック部品42はさらに、第一斜向導引部54、第二斜向導引部56、第三斜向導引部58を備える。第一斜向導引部54は、接触停止端52に背を向ける。第二斜向導引部56は、接触停止端52から弾性部46まで延伸する。第三斜向導引部58は、弾性部46から延伸し、しかも第二レール24へと湾曲する。別に、第二レール24の貫通孔26は、第三斜向導引部58に対応する。
【００２３】
第一、第二、第三斜向導引部54、56、58により、係合ロック部品42が第一レール10においてスライドし、ローリングボール保持器32の第一端34a或いは第二端34bの端縁を通過しようとする時には、図３、４、５に示すように、第一、第二、第三斜向導引部54、56、58は、ローリングボール保持器32の上記した端縁をスムーズにスライドして通過する。これにより、係合ロック部50と係合ロック部品42の端部とは、ローリングボール保持器32に引っ掛かることがなく、第二レール24は、第一レール10に相対してスムーズにスライドすることができる。
【００２４】
押圧部品22は、好ましくは、ブロック台40に連なり、第一レール10の開孔14に対応し、及び一対の翼部60を備え、開孔14の孔壁辺縁に接触し、定位される。図６に示すように、これにより押圧部品22は、開孔14に相対し、一方向に向かってのみ移動する。この実施例中では、押圧部品22は押されると、第二レール24の方向へのみ移動することができる。
【００２５】
図７に示すように、第二レール24が第一レール10に相対して、引き出され移動する時、もしローリングボールアセンブリ30のローリングボール保持器32が、第二レール24に従っての第一レール10に相対した移動を行わず、所定の位置まで連動されないなら、係合ロック部品42の第二接触制限部48を利用し、ローリングボール保持器32の第一接触制限部36に接続することができる。こうして、ローリングボール保持器32は、第二レール24に従い第一レール10に相対して引き出され、連動されての移動を継続する。
【００２６】
第二レール24が、第一レール10に相対して、継続して引き出され、所定の位置まで移動すると、図８、９に示すように、係合ロック部品42の第二接触制限部48は、第一レール10のブロック壁20に接触する。これにより、第二レール24は、第一レール10から離脱しない。同時に、上記したローリングボール保持器32も、第一接触制限部36により、係合ロック部品42の第二接触制限部48によって押され、第一レール10のブロック壁20位置まで移動する。
【００２７】
また、係合ロック部品42の係合ロック部50も、弾性部46の弾力により釈放される。これにより、接触停止端52は、第一レール10のブロック停止面16に対応する。図８、１０に示すように、係合ロック部品42の第二接触制限部48が、第一レール10のブロック壁20に接触する時、係合ロック部50の接触停止端52とブロック停止面16とは、いくらかの距離を隔てる。こうして、接触停止端52は、先ずブロック停止面16を越え、次に、第二レール24は第一レール10に相対していくら戻り、接触停止端52とブロック停止面16とは再び相互に接触して定位される。これにより、第二レール24は第一レール10に相対して、戻り、収納されることはなくなる。また、接触停止端52がブロック停止面16に接触する時、第一レール10の凹口18には第二斜向導引部56が進入する。これにより、接触停止端52とブロック停止面16との相互接触に影響を及ぼすことはない。
【００２８】
接触停止端52とブロック停止面16との係合ロックを解除する時には、図１１に示すように、指で押圧部品22を押す。これにより、押圧部品22は係合ロック部品42の係合ロック部50を押し、係合ロック部50の接触停止端52は、第一レール10のブロック停止面16の係合から離脱する。しかも、第三斜向導引部58は、第二レール24の貫通孔26に進入する。こうして、係合ロック部品42と第二レール24を釈放することができ、第二レール24は第一レール10に相対してその通路12内に戻る。
【００２９】
本実施例中では、図１２に示すように、ローリングボールアセンブリ30のローリングボール保持器32の所定の位置を、ローリングボール保持器32の第一接触制限部36が移動する第一レール10のブロック壁20位置に設定する。これにより、ローリングボール保持器32上の等距離の間を隔てる複数の欠口39の内の１個は、第二レール24上の複数のマウント孔28の内の１個に対応する。これにより、係合ロック部品42の第二接触制限部48により、ローリングボール保持器32の第一接触制限部36に接続し、ローリングボール保持器32は、第二レール24の引き出しに必ず従い、上記した所定の位置まで連動されて移動する。すなわり、第二レール24のマウント孔28に、外付け設備のマウント部品を掛けて組み立てられても、ローリングボール保持器32は、マウント部品を妨げることはない。
【００３０】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３１】
本考案は登録要件である新規性を備え、従来の同類製品に比べ十分な進歩性を有し、実用性が高く、社会のニーズに合致しており、産業上の利用価値は非常に大きい。
【符号の説明】
【００３２】
10：第一レール
12：通路
14：開孔
16：ブロック停止面
18：凹口
20：ブロック壁
22：押圧部品
24：第二レール
26：貫通孔
28：マウント孔
30：ローリングボールアセンブリ
32：ローリングボール保持器
34a：第一端
34b：第二端
36：第一接触制限部
38：ローリングボール
39：欠口
40：ブロック台
42：係合ロック部品
44：固定部
46：弾性部
48：第二接触制限部
50：係合ロック部
52：接触停止端
54：第一斜向導引部
56：第二斜向導引部
58：第三斜向導引部
60：翼部
【図１】
0003176462.tif 000003
【図２】
0003176462.tif 000004
【図３】
0003176462.tif 000005
【図４】
0003176462.tif 000006
【図５】
0003176462.tif 000007
【図６】
0003176462.tif 000008
【図７】
0003176462.tif 000009
【図８】
0003176462.tif 000010
【図９】
0003176462.tif 000011
【図１０】
0003176462.tif 000012
【図１１】
0003176462.tif 000013
【図１２】
0003176462.tif 000014